【事件の表示】
　特許第２８５６３１５号「観光案内装置」の請求項１ないし２に係る特許に対する特許異議の申立てについて、次のとおり決定する。
【結　論】
　訂正を認める。
　特許第２８５６３１５号の請求項１ないし２に係る特許を維持する。
【理　由】
１．手続きの経緯
　本件特許第２８５６３１５号の請求項１及び２に係る発明は、平成７年３月２４日に特許出願され、平成１０年１１月２７日にその特許権の設定登録がなされ、その後、長野里志より特許異議の申立てがなされ、取消理由通知がなされ、その指定期間内である平成１２年４月１８日に訂正請求がなされたものである。
　
２．訂正請求について
２−１．訂正請求の趣旨及び訂正事項
　訂正請求の趣旨は、本件特許第２８５６３１５号の明細書を訂正請求書に添付した訂正明細書のとおり訂正することを求めるものであり、その訂正事項は、以下のとおりである。
　特許請求の範囲の請求項１において、
「上記ディスプレイ上に上記中央処理部の決定した現在地から目的地までの距離と最短ルートとを地図とともに表示することを特徴とする観光案内装置。」という事項の前に、
「上記ディスプレイ上で観光案内情報等の対象となる地域から適宜地区を選択することにより当該地区の観光案内情報等を表示し、ディスプレイ上で観光案内情報を適宜選択することにより当該観光案内情報に対応した複数目的地を地図とともに表示し、ディスプレイ上に表示される複数目的地から適宜目的地を選択することにより当該目的地の紹介画面を表示し、ディスプレイ上で条件を設定することにより当該条件に合致した目的地を抽出して表示し、」という事項を加入し、
　特許請求の範囲の請求項２において、
「内容別に選択して読み出し得るような構成」という事項の前に、
「前記地域に包含される地区別に及び」という事項を加入する。
２−２．訂正の目的の適否、新規事項の有無、及び、拡張・変更の存否
　上記訂正は、特許請求の範囲において構成要件を追加するものであるから、特許請求の範囲の減縮を目的とするものであり、また、願書に添付した明細書又は図面に記載した事項の範囲内においてしたものであり、実質上特許請求の範囲を拡張し、又は変更するものとも認められない。
２−３．独立特許要件
（訂正明細書の請求項１及び２に係る発明）
　訂正明細書の請求項１及び２に係る発明は、訂正請求書に添付された訂正明細書の特許請求の範囲に記載された次のとおりのものである。
「【請求項１】ＧＰＳを利用して現在地に関する電波をとらえるＧＰＳアンテナを設けると共に、所要のデータ入力を行うキーボードと、観光案内情報等の画面出力を行うディスプレイと、観光案内情報等を記憶した外部記憶媒体を具備し、現在地、目的地等に関する情報の演算処理を行い、現在地から目的地までの距離と最短ルートを決定する中央処理部と、上記ＧＰＳアンテナでとらえた電波を受信して電気信号への変換処理を行うＧＰＳ受信部と、上記中央処理部と上記ＧＰＳ受信部とにおける信号の授受を制御する通信制御部と、上記外部記憶媒体に記憶された観光案内情報等を書き込み可能な補助記憶部と、上記キーボード或いはディスプレイとの情報の受渡しを制御する入出力制御部と、上記中央処理部における動作手順や中央処理部の処理すべき情報を記憶した主記億部とからなる構成を具備した本体の外形を携帯可能な大きさにし、上記ディスプレイ上で観光案内情報等の対象となる地域から適宜地区を選択することにより当該地区の観光案内情報等を表示し、ディスプレイ上で観光案内情報を適宜選択することにより当該観光案内情報に対応した複数目的地を地図とともに表示し、ディスプレイ上に表示される複数目的地から適宜目的地を選択することにより当該目的地の紹介画面を表示し、ディスプレイ上で条件を設定することにより当該条件に合致した目的地を抽出して表示し、上記ディスプレイ上に上記中央処理部の決定した現在地から目的地までの距離と最短ルートとを地図とともに表示することを特徴とする観光案内装置。
　【請求項２】前記外部記憶媒体は観光案内情報を地域別に記憶すると共に記憶された情報を前記地域に包含される地区別に及び内容別に選択して読み出し得るような構成を具備する１又は２以上のカード式構成としたことを特徴とする請求項１に記載の観光案内装置。」
（引用刊行物）
　訂正明細書の請求項１及び２に係る発明に対して、当審が通知した取消理由で引用した刊行物１（特開平７−２７８４４号公報）、刊行物２（特公平６−５４４１１号公報）及び刊行物３（特開平６−３１４３０１号公報）には、以下の事項が記載されている。
　上記刊行物１には、
「ＧＰＳ受信部４４は、・・・情報などをアンテナ４７を介して受信する。受信したそれらの情報に基づいてＣＰＵ４１は、ＲＯＭ４２に格納されているナビゲーション処理プログラム４２ｂを実行し、現在地の位置を算出する。入力キー４５は、各種の処理を命令するためのキーであり、押下されたキーは、ＣＰＵ４１によって読取られ、処理される。表示装置４６は、・・・現在地・・・目的地などを表す地図、数値などをＣＰＵ４１の処理によって表示する。」（段落【００１８】）、
「ＲＯＭ４２に格納されている経路地リスト設定処理プログラム４２ａがＣＰＵ４１によって実行される。使用者は、目的地、経路地などの・・・位置情報を入力キー４５によって順次入力する。・・・入力された位置情報は、・・・経由地リストデータ４３ａとして、ＲＡＭ４３に格納される。」（段落【００１９】）、
「ＣＰＵ４１は、ＲＯＭ４２に格納されているナビゲーション処理プログラム４２ｂを実行する。」（段落【００２０】）、
「ナビゲーション処理は、・・・・・ＧＰＳ受信機４４に入力された人工衛星の軌道情報などに基づいて、現在地の位置・・・を算出する。」（段落【００２１】）、
「地図５０上に現在地５６の位置を「＋」マークで表示し、次の経由地５１と現在地５６との距離を、地図５０・・・に表示し、」（段落【００２２】）、
「本発明によれば、・・・・・使い勝手のよい携帯型ナビゲーション装置を得ることができる。」（段落【００２８】）と記載されている。
　上記刊行物２には、
「記憶担持体（１）（１ａ）は、・・・市街案内図や道路地図において一般的に見られる地理データならびに一般情報が入っており、」（第９欄第４２〜４５行）、
「スクリーン（１４）は、残存距離をディスプレイし、スクリーン（１５）は、道程の総距離をディスプレイする。」（第１１欄第３６〜３８行）、
「スクリーン・・・には、出発点（３６）から到達点（３７）までの全体のルート（３５）がディスプレイされる。」（第１２欄第４０、４１行）、
「本発明の電子案内装置はまた、・・・観光地・・・などへの案内手段としても利用できる。」（第１４欄第４６〜４８行）と記載されている。
　上記刊行物３には、
「ＧＰＳ受信部１から伝えられた位置情報は、制御部６により地図情報記録部３・・・から読み出された地図情報とともに重ね合わされ、表示部４・・・に表示される。そこで、利用者が・・・キーボード等を操作して出発点と到着点とを入力することにより、２点間の最適経路を・・・表示部４の画面上に表示される。」（段落【０００３】）、
「出発点Ｓ，到着点Ｅの２点の入力が終わると、制御部６は２点を結ぶ全てのルートについて、・・・検索する」（段落【０００４】）、
「検索結果であるそれぞれのルートについて道程を求め(Ｓ14)、求めた道程の中から最短距離のルートを選択する・・・利用者は、・・・最短コースを走行することができる。」（段落【０００５】と記載されている。
（対比・判断）
　訂正明細書の請求項１に係る発明と上記刊行物１〜３に記載された事項とを対比すると、上記刊行物１〜３のいずれにも、訂正明細書の請求項１に係る発明の構成要件である、「ディスプレイ上で観光案内情報等の対象となる地域から適宜地区を選択することにより当該地区の観光案内情報等を表示し、ディスプレイ上で観光案内情報を適宜選択することにより当該観光案内情報に対応した複数目的地を地図とともに表示し、ディスプレイ上に表示される複数目的地から適宜目的地を選択することにより当該目的地の紹介画面を表示し、ディスプレイ上で条件を設定することにより当該条件に合致した目的地を抽出して表示」する点は記載されておらず、示唆もされていない。
　そして、訂正明細書の請求項１に係る発明は、上記構成を具備することにより、本件訂正明細書に記載の「地図を主体とする名所案内やホテル案内等の観光案内情報が画面出力されるので、地図を携帯する手間が省け、不慣れな場所を行動する場合でも本装置を携帯し、その都度画面を参照しながら軽快に行動することができる。その上地図上にはオペレータの現在地及び目的地までの距離とルートが表示されるので画面上の地図と現在地との整合性を常時保つことができ、不慣れな都市でも迷うことがなくなる等により、不慣れな都市における行動を効果的に支援することができる。また、観光案内情報を内容別に適宜参考にして行動計画を立てたりする際にも好適である。」という効果を奏するものであるから、上記刊行物１〜３に記載された発明に基いて当業者が容易に発明をすることができたものとはいえない。
　また、訂正明細書の請求項２に係る発明は、訂正明細書の請求項１に係る発明を引用して構成を付加したものであるから、上記訂正明細書の請求項１に係る発明についての判断と同様の理由により、上記刊行物１〜３に記載された発明に基いて当業者が容易に発明をすることができたものとはいえない。
　したがって、訂正明細書の請求項１及び２に係る発明は特許出願の際独立して特許を受けることができるものである。
２−４．むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する同法第１２６条第２〜４項の規定に適合し、当該訂正は認められる。
　
３．特許異議申立てについて
３−１．本件請求項１及び２に係る発明
　本件請求項１及び２に係る発明は、上記訂正請求書に添付された訂正明細書の特許請求の範囲に記載されたとおりのもの（上記「２−３．独立特許要件（訂正明細書の請求項１及び２に係る発明）」参照。）である。
３−２．特許異議申立ての理由の概要
　特許異議申立人　長野里志は、甲第１号証（特開平７−２７８４４号公報（上記刊行物１））、甲第２号証（特公平６−５４４１１号（上記刊行物２））、甲第３号証（特開平６−３１４３０１号公報（上記刊行物３））を提出し、特許明細書の請求項１及び２に係る発明は、特許法第２９条第２項の規定により特許を受けることができないものである旨主張している。
３−３．判断
　上記甲第１〜３号証は、上記刊行物１〜３であるから、本件請求項１及び２に係る発明は、上記「２−３．独立特許要件（対比・判断）」で判断したように、甲第１〜３号証に記載された発明に基いて当業者が容易に発明をすることができたものであるということはできない。
３−４．むすび
　以上のとおりであるから、特許異議の申立ての理由及び証拠によっては、本件請求項１及び２に係る発明の特許を取り消すことはできない。
　また、他に本件請求項１及び２に係る発明の特許を取り消すべき理由を発見しない。
　よって、結論のとおり決定する。
【異議決定日】
平成１２年５月２６日（２０００．５．２６）
【訂正の要旨】
　本件特許第２８５６３１５号の訂正事項は、以下のとおりである。
〔Ｉ〕特許請求の範囲の減縮を目的として、特許明細書特許請求の範囲を以下のとおりに訂正する。
「【請求項１】ＧＰＳを利用して現在地に関する電波をとらえるＧＰＳアンテナを設けると共に、所要のデータ入力を行うキーボードと、観光案内情報等の画面出力を行うディスプレイと、観光案内情報等を記憶した外部記憶媒体を具備し、現在地、目的地等に関する情報の演算処理を行い、現在地から目的地までの距離と最短ルートを決定する中央処理部と、上記ＧＰＳアンテナでとらえた電波を受信して電気信号への変換処理を行うＧＰＳ受信部と、上記中央処理部と上記ＧＰＳ受信部とにおける信号の授受を制御する通信制御部と、上記外部記憶媒体に記憶された観光案内情報等を書き込み可能な補助記憶部と、上記キーボード或いはディスプレイとの情報の受渡しを制御する入出力制御部と、上記中央処理部における動作手順や中央処理部の処理すべき情報を記憶した主記億部とからなる構成を具備した本体の外形を携帯可能な大きさにし、上記ディスプレイ上で観光案内情報等の対象となる地域から適宜地区を選択することにより当該地区の観光案内情報等を表示し、ディスプレイ上で観光案内情報を適宜選択することにより当該観光案内情報に対応した複数目的地を地図とともに表示し、ディスプレイ上に表示される複数目的地から適宜目的地を選択することにより当該目的地の紹介画面を表示し、ディスプレイ上で条件を設定することにより当該条件に合致した目的地を抽出して表示し、上記ディスプレイ上に上記中央処理部の決定した現在地から目的地までの距離と最短ルートとを地図とともに表示することを特徴とする観光案内装置。
　【請求項２】前記外部記憶媒体は観光案内情報を地域別に記憶すると共に記憶された情報を前記地域に包含される地区別に及び内容別に選択して読み出し得るような構成を具備する１又は２以上のカード式構成としたことを特徴とする請求項１に記載の観光案内装置。」
（５４）【発明の名称】
観光案内装置
（５７）【特許請求の範囲】
　　【請求項１】　ＧＰＳを利用して現在地に関する電波をとらえるＧＰＳアンテナを設けると共に、所要のデータ入力を行うキーボードと、観光案内情報等の画面出力を行うディスプレイと、観光案内情報等を記憶した外部記憶媒体を具備し、現在地、目的地等に関する情報の演算処理を行い、現在地から目的地までの距離と最短ルートを決定する中央処理部と、上記ＧＰＳアンテナでとらえた電波を受信して電気信号への変換処理を行うＧＰＳ受信部と、上記中央処理部と上記ＧＰＳ受信部とにおける信号の授受を制御する通信制御部と、上記外部記憶媒体に記憶された観光案内情報等を書き込み可能な補助記憶部と、上記キーボード或いはディスプレイとの情報の受渡しを制御する入出力制御部と、上記中央処理部における動作手順や中央処理部の処理すべき情報を記憶した主記憶部とからなる構成を具備した本体の外形を携帯可能な大きさにし、
上記ディスプレイ上で観光案内情報等の対象となる地域から適宜地区を選択することにより当該地区の観光案内情報等を表示し、ディスプレイ上で観光案内情報を適宜選択することにより当該観光案内情報に対応した複数目的地を地図とともに表示し、ディスプレイ上に表示される複数目的地から適宜目的地を選択することにより当該目的地の紹介画面を表示し、ディスプレイ上で条件を設定することにより当該条件に合致した目的地を抽出して表示し、
　　【請求項２】　前記外部記憶媒体は観光案内情報を地域別に記憶すると共に記憶された情報を
前記地域に包含される地区別に及び
【発明の詳細な説明】
　　　【０００１】
　　【産業上の利用分野】
　本発明は、地図を主体とする名所案内等の観光案内に関する情報（以下「観光案内情報」という）を画面出力する装置に関し、特に、世界各国の主要都市或いは観光地（以下「都市」という）の観光案内情報に現在地及び目的地までの距離を併せて画面出力することができる機能を具備した観光案内装置に関する。
　　　【０００２】
　　【従来の技術】
　不慣れな都市を訪れて徒歩或いは電車、バス等を利用して自ら行動する場合は通常、その土地の地図や交通手段、名所案内等を掲載したガイドブックを携帯し、必要に応じて地図を参照して現在地を確認したり、或いは時刻表やガイドブックを参照して目的地や目的地までの交通手段の選択を行いながら行動することが多い。このとき、特に多数の場所を一時に訪れるような場合は携帯する地図やガイドブックの数が多くなって重くかさばり、持ち歩くのに大変不便である。その上臨機応変に地図等を参照するのが煩わしくなり、現在地の確認や目的地までのルートを確認するのに大変不都合であった。
　　　【０００３】
　このような煩雑さを解決する手段として、従来では、日本地図や世界地図、指定都市の拡大地図等を数種類に分けて画像表示する画像表示装置に、指定された都市の名所案内の情報を記憶装置から取り出して出力することにより、旅行先において地図やガイドブックを持ち歩く不便さを解消した装置が知られている（特開昭５９−１９３４８５）。
　　　【０００４】
　　【発明が解決しようとする課題】
　しかしながら、この装置は、地図やガイドブックを多数携帯する煩雑さを解消する点では好ましいものの、単に地図或いは名所案内等の情報を画面表示し得るに過ぎないものであった。また、不慣れな場所を訪れると、現在地がわからなくなることが多く、この場合、画面上の地図と現在地とを対応付けることができなくなるため、この装置は現在地が不明な場合には有効に機能するものではなかった。また、現在地がわかっても目的地までの距離は縮尺から求める他ないことには変わりがなく、目的地までの距離から所要時間を割り出す等して行動計画を立てたりするにも不向きであった。
　　　【０００５】
　特に、近年は交通手段や通信手段の発達を背景として外国が一段と身近になり円高の影響も相まって外国の観光地を訪れることが多くなったが、外国の場合は言葉の相違から現地の人に道を尋ねたりするのも容易ではないため、道に迷った場合はこの装置がまったく役に立たなくなることから、不慣れな都市、特に外国での行動を効果的に支援する装置が望まれていた。
　　　【０００６】
　そこで、本発明は、このような問題点を解消すべくなしたものであって、その目的とするところは、単に地図或いは名所案内等の情報を画面表示するに留まらず、地図上に正確な現在地を表示すると共に、必要に応じて目的地までの距離とルートを画面表示することによって、現在地から目的地までの案内や誘導を適切に行い、その上さらに携帯可能な大きさとし、特に外国の都市や観光名所等を訪れた場合における行動を効果的に支援することができる観光案内装置を提供せんとすることにある。
　　　【０００７】
　　【課題を解決するための手段】
　上記課題を解決するために、本発明は、ＧＰＳを利用して現在地に関する電波をとらえるＧＰＳアンテナを設けると共に、所要のデータ入力を行うキーボードと、観光案内情報等の画面出力を行うディスプレイと、観光案内情報等を記憶した外部記憶媒体を具備し、現在地、目的地等に関する情報の演算処理を行い、現在地から目的地までの距離と最短ルートを決定する中央処理部と、上記ＧＰＳアンテナでとらえた電波を受信して電気信号への変換処理を行うＧＰＳ受信部と、上記中央処理部と上記ＧＰＳ受信部とにおける信号の授受を制御する通信制御部と、上記外部記憶媒体に記憶された観光案内情報等を書き込み可能な補助記憶部と、上記キーボード或いはディスプレイとの情報の受渡しを制御する入出力制御部と、上記中央処理部における動作手順や中央処理部の処理すべき情報を記憶した主記憶部とからなる構成を具備した本体の外形を携帯可能な大きさにし、上記ディスプレイ上に上記中央処理部の決定した現在地から目的地までの距離と最短ルートとを地図とともに表示する構成を有して、観光案内装置としたことを特徴とするものである。
　　　【０００８】
　また、前記外部記憶媒体は観光案内情報を地域別に記憶すると共に記憶された情報を内容別に選択して読み出し得るような構成を具備する１又は２以上のカード式構成としてなるものとすれば一層好ましい。
　　　【０００９】
　　【作用】
　外部記憶媒体から補助記憶部に書き込まれた観光案内情報はキーボード入力されたオペレータの指示に従い、中央処理部に読み出される。また、ＧＰＳ受信部で受信及び変換された信号に基づいて、中央処理部は主記憶部に記憶された動作手順に従って現在地を算出すると共に、目的地までの距離を算出し、読み出された観光案内情報と共にディスプレイへの出力を行う。外部記憶媒体が観光案内情報を地域別に記憶すると共に、その情報を内容別に選択して読み出し得るように構成してあれば、行動する場所に応じた観光案内情報をディスプレイへ出力することができる。
　　　【００１０】
　　【実施例】
　以下、本発明に係る観光案内装置の実施例について図面を用いて説明する。
　図１は、本発明に係る第一実施例たる観光案内装置１の全体構成図を示したものである。観光案内装置１は、ＧＰＳ「Ｇｌｏｂａｌ　Ｐｏｓｉｔｉｏｎｉｎｇ　Ｓｙｓｔｅｍ（全地球位置把握システム）」を利用して現在地に関する信号を受信することによって、オペレーターの現在地を把握するようにしたことを特徴とするものである。かかる信号の処理やオペレーターが入力した情報の処理等は本体２の内部に設けられた中央処理部を中心とする各部材により行われる。
　　　【００１１】
　観光案内装置１は、本体２の内部にＧＰＳ衛星Ｚからの信号を受信するＧＰＳ受信アンテナ３を設けると共に、オペレーターが所要のデータ入力を行うためのキーボード４と、地図、現在地、目的地等に関する種々の情報の画面出力を行うためのディスプレイ５と、地域別の観光案内情報を記憶した外部記憶媒体６とを具備してなるものである。
　　　【００１２】
　本体２は、地図、現在地、目的地等に関する情報の記憶、演算処理等を行う中央処理部７を中心とする回路を内蔵しており、その外形を図２に示すように携帯可能な大きさとしたことを特徴とする。内蔵された回路は中央処理部７を中心として、ＧＰＳ受信アンテナ３を介して現在地に関する信号を受信すると共に、受信した信号を電気信号に変換する処理を行うＧＰＳ受信部８と、中央処理部７とＧＰＳ受信部８とにおける信号の授受を制御する通信制御部９と、外部記憶媒体６からの観光案内情報の書き込み及び中央処理部７への読み出しを行う補助記憶部１０と、キーボード４或いはディスプレイ５と、中央処理部７との情報の受渡しを制御する入出力制御部１１と、目的地までの距離の算出処理等、中央処理部７における動作手順を規定するプログラムや中央処理部７の処理すべき情報を格納する主記憶部１２とからなり、すべて電気的に接続してある。
　　　【００１３】
　ＧＰＳ受信アンテナ３は、本体２に内蔵したものとしてあるが、伸縮自在のものとして本体２の外部に装着したものとすることができる。このＧＰＳ受信アンテナ３がとらえた信号は、後述するＧＰＳ受信部８により電気信号に変換された上で通信制御部９を介して中央処理部７に随時送りこまれる。
　　　【００１４】
　キーボード４と、ディスプレイ５とは公知の構成を採用することができるが、キーボード４については、本体２の動作に対応したキー入力を可能とするようなファンクションキーを設けたものが好ましい。例えば、図３に示す如く、アルファベットキー４ａ、テンキー４ｂの他に上下左右に画面をスクロールさせるスクロールキー４ｃ、目的地の検索に使用する検索キー４ｄを設け、さらに、ズーム画面を表示するズーム表示キー４ｅや目的地までの距離表示に使用する距離表示キー４ｆを設けたものとすることができる。
　　　【００１５】
　外部記憶媒体６は、「ロスアンゼルス」、「ニューヨーク」、「ロンドン」等世界各国の都市の観光案内情報を、地域別に予めディジタル信号に変換して各々一枚づつのＩＣカードに記憶したものである。記憶させる観光案内情報はその地域の地図を主体とし、名所案内等の観光案内、レストラン案内等の情報を記憶させるのが好ましいが、その他任意の情報を記憶させておくことができる。この外部記憶媒体６を本体２に内蔵したカードドライブ２ａにセットすると、補助記憶部１０に対して予め記憶された情報の書き込みを行うことができる。また、外部記憶媒体６には本体２の立上げ時に処理内容の選択を行うためのメニューに関する情報を併せて記憶させてあり、後述の如く本体２の立上げと同時に処理メニューをディスプレイ５に表示し得るようにしてある。
　　　【００１６】
　中央処理部７は、マイクロプロセッサを中心として構成されており、主記憶部１２に格納されているプログラムに従って補助記憶部１０から読み出した観光案内情報を入出力制御部１１を介してディスプレイ５へ出力する。この際ＧＰＳ受信部８から受け取った現在地に関する情報を利用して目的地までの距離の算出或いは目的地までのルートの割り出し等の演算処理を行い、その結果を併せてディスプレイ５へ出力する。
　　　【００１７】
　ＧＰＳ受信部８は、ＧＰＳアンテナ３がとらえた時間に関する信号を入力として疑似的な距離及び各種補正を施した真の距離を計測し、この真の距離から現在地の経度、緯度、高度を求める回路を内蔵しており、求められた情報は現在地情報として通信制御部９を介して中央処理部７へ送りこまれる。
　　　【００１８】
　次に、観光案内装置１の動作内容について説明する。図４〜図６に示したものは本装置１の動作内容をＡ、Ｂ、Ｃの三つに分割して表しており、それぞれを本体２の実行する処理Ａ、ＧＰＳアンテナ３、ＧＰＳ受信部８、通信制御部９、外部記憶媒体６及び補助記憶部１０と、本体２と間での情報授受に関する処理Ｂ、キーボード４からの入力及びディスプレイ５への出力処理Ｃを表している。
　　　【００１９】
　先ず、図４に示すように本体２の電源投入と同時に初期制御指示処理ａが実行される。この初期制御指示処理ａは外部記憶媒体６をカードドライブ２ａにセットするようにオペレータに指示を促すべく、主記憶部１２に格納された命令を受け取り、中央処理部７がディスプレイ５ヘメッセージを送信ｂして画面出力を行うものである。このメッセージに従いオペレータが外部記憶媒体６をカードドライブ２ａにセットすると、記憶されていた情報が補助記憶部１０に対して書き込みｃされ、その情報を中央処理部７が読み取りｄをして初期設定処理ｅが行われる。次いで、メインメニュー表示処理ｆが実行され、図７に示す如きメインメニューＤがディスプレイ５に画面表示されるようになっている。
　　　【００２０】
　外部記憶媒体６には、その地域の観光案内情報の他にメインメニューＤの表示内容に関する情報が格納されている。メインメニューＤの内容は、オペレータの選択した都市を地区別に項目分けして選択できるようになっている。例えば図７に示すように「ロサンゼルス」地域の場合は、ロサンゼルスの観光案内情報を「１．ロサンゼルスダウンタウン」、「２．ビバリーヒルズ」、「３．ハリウッド」等に分割してそれぞれに番号を付してあり、オペレータが入力した番号に応じて後述するサブメニューを表示できるようにしてある。
　　　【００２１】
　続いて、メインメニューＤの画面上で番号を入力ｇすると、中央処理部７で番号識別処理ｈが実行されて対応するサブメニューＥの情報について、補助記憶部１０からの読出しｉを実行すると共に、サブメニュー表示処理ｊが実行されて図８に示す如きサブメニューＥが表示される。図８に示したものは、図７のメインメニューＤの画面上で「３」を入力した後におけるサブメニューＥを表示したものである。サブメニューＥは、観光案内情報を内容別に項目分けし、それぞれ番号入力により選択できるようにするための画面で、オペレータが入力した番号に応じて後述する案内情報画面を表示することができる。
　　　【００２２】
　観光案内情報としては、名所案内等、任意の情報とすることができる。その一例としては、例えば、地区内の主な見どころや名物の紹介等を行う文字を主体とした「観光案内」、地区内の見どころや名物の場所を地図上に表示した「観光地案内図」、地区内のレストランを地図上に表示した「レストラン案内図」、地区内のショッピングを地図上に表示した「ショッピング案内図」等があり、この他にも、「ホテル案内図」、「ツアー案内図」を含めることができる。
　　　【００２３】
　続いてサブメニューＥの中から番号を選択して入力ｋすると、中央処理部７で番号識別処理ｌが実行されて対応する観光案内情報について、補助記憶部１０からの読出しｍを実行すると共に、案内情報表示処理ｎが実行されて図９に示す如き対応する観光案内情報を表示する案内情報画面Ｆを出力することができる。図９に示したものは、図８の画面上で「２．観光地案内図」の「２」を入力した場合を示したものである。
　　　【００２４】
　この案内情報画面Ｆにはオペレータの現在地Ｐを表示することができる。この現在地ＰはＧＰＳ受信アンテナ３がとらえ、ＧＰＳ受信部８が計測して求めた現在地情報ｏを通信制御部９を介して中央処理部７が受取りｐし、続いて位置決定処理ｑを実行して求めた結果を表示したものである。かかる現在地情報ｏは、図９或いは図１０に示す画面上にオペレータの目的地たりえる場所を予め番号で表示した目的地Ｑの番号を、キーボード４から入力「することによって中央処理部７から通信制御部９に出される命令ｓにしたがい、ＧＰＳ受信アンテナ３が信号をとらえ、ＧＰＳ受信部８で受信することによって得ることができる。
　　　【００２５】
　位置決定処理ｑは、ＧＰＳ受信部８が求めた現在地情報ｏの緯度及び経度を画面上に予め設定された緯度及び経度と比較し、両者が合致する緯度及び経度に対応する位置を、図示の如く現在地Ｐとしてディスプレイ５上に黒丸印で表示するものである。なお、現在地Ｐは「黒丸印」で表示してあるが、「＊印」等表示の仕方は任意である。
　　　【００２６】
　案内情報画面Ｆは項目分けしたどの観光案内情報に対しても、画面を上下左右に四分割し、それぞれをブロックＡ〜ブロックＤとして表示がなされる。また、画面上の地図はキーボード４のスクロールキー４ｃを操作してスクロールできるようにし、広範囲にわたる観光案内情報を表示することができる。さらに、上記四ブロックのいずれかを選択ｔ（ブロックの番号をテンキー４ａで入力してズーム表示キー４ｅの入力）することにより、拡大画面表示処理ｕが実行されて選択されたブロック内における拡大図を表示することができ、例えば、Ｃブロックを選択した場合は図１０に示す如く拡大画面Ｇを表示することができる。この拡大画面Ｇにより、地図が細かくて分かり難い部分を必要に応じて拡大し、より適切な案内ができるようにすることができる。なお、画面を分割する個数は四分割に限らず、八分割、十六分割等任意の個数とすることができ、分割個数を多くすることにより各ブロックの拡大倍率を高くすることができ、好適である。
　　　【００２７】
　また、案内情報画面Ｆ及び拡大画面Ｇには現在地Ｐと、入力ｒにより選択された目的地Ｑとの距離を算出すると共に、目的地Ｑまでのルートを決定して表示する距離算出表示処理ｖによる結果として距離表示Ｒがなされている。これによりオペレータは現在地Ｐと目的地Ｑまでの距離を知ることができ、しかも、画面Ｆ及びＧに表示された各目的地Ｑを通過する毎に、オペレータが通過した目的地Ｑの番号を入力することにより距離算出表示処理Ｖが実行されてその都度距離表示Ｒの数字が変わり、オペレータの案内或いは誘導に寄与することになる。
　　　【００２８】
　この距離算出表示処理ｖは、現在地Ｐから目的地Ｑまでの任意のルートに対して各ルートを一定速度で移動する移動シミュレーションを行い、移動時間の最短のルートを最短コースとし、さらに、地図の縮尺から実距離を算出して表示するものである。
　　　【００２９】
　さらに、距離表示Ｒに加えて画面Ｆ及びＧには現在地Ｐから目的地Ｑまでのルート表示Ｓがなされている。このルート表示Ｓは、距離算出表示処理ｖにより最短コースとして求められた結果を地図上に点線で表示したものであり、これを参照しながらオペレータは容易に目的地Ｑに到達することができる。なお、距離表示Ｒ及びルート表示Ｓについての表示の仕方は図示したものに限らず、例えば、点滅させたり、色彩を変更した表示とする等種々の変更が可能である。
　　　【００３０】
　画面Ｆ及びＧに表示されている目的地Ｑの中から番号を選択した上でキーボード４から所定のキー入力ｗを行うと、番号識別処理が実行されると共に紹介画面表示処理ｘが実行され、図１１に示す如き目的地の紹介画面Ｈが表示される。この画面Ｈは、目的地Ｑに関する見どころや料金、休日等の紹介を文字を主体として行うものであり、これを参照して目的地の選択や観光の計画を立てる際の参考に供することができる。
　　　【００３１】
　なお、図６に示したものは観光案内情報の一つとしての「観光案内」の表示処理の内容を示したものである。「観光案内」は他の観光案内情報とは異なり、文字を主体とした情報を表示するもので、図８における画面上で「１」を入力した後に観光案内表示画面１が表示され、画面１上における番号の選択入力ｙに基づいて各項目の案内画面Ｊが表示される。図１１には、観光案内表示画面１及び案内画面Ｊの一例を示してある。
　　　【００３２】
　続いて、第二実施例について説明する。
　図１３には、第二実施例としての観光案内装置５１のキーボード５４の配置を図示してある。観光案内装置５１は図に示すように、キーボード５４をアルファベットキー４ａ、テンキー４ｂ、スクロールキー４ｃに加えてファンクションキー４ｄを設けると共に、ズーム表示キー４ｅ、距離表示キー４ｆを除去してその配置を変更した点と、動作内容が後述の如く異なる他、本体２に内蔵された回路の構成や外形等を上記の観光案内装置１と同一なものとしてある。
　　　【００３３】
　観光案内装置５１の動作内容を図１４〜図１６に示す如く、上記観光案内装置１についての説明と同様にして説明する。また、図１７には観光案内装置５１の動作における画面相互の遷移内容を表す画面遷移図を示してある。なお、同じ符号を使用したものは、処理内容或いは部材が観光案内装置１と同様である。
　　　【００３４】
　先ず、図１４に示すように本体２の電源投入と同時に初期制御指示処理ａを実行してメッセージの画面出力が行われ、かかるメッセージに従いオペレータが外部記憶媒体６をカードドライブ２ａにセットすると、記憶されていた情報が補助記憶部１０に対して書き込みｂされ、その情報を中央処理部７が読み取り、上記の初期設定処理ｅ同様の初期設定処理ｃｃが行われる。次いで、都市メニュー表示処理ｄｄが実行され、図１８に示す如き都市メニューＤＤがディスプレイ５に画面表示されるようになっている。
　　　【００３５】
　都市メニューＤＤは、外部記憶媒体６に記憶された地域内の観光案内情報を地区別に選択するためのメニュー画面で、図１８に示すように「ロサンゼルス」地域における「ロサンゼルスダウンタウン」、「ハリウッド」等の地区別に選択することができる。この都市メニューＤＤ上でオペレータがスクロールキー４ｃを用いて都市名を選択すると入力内容の判断ｅｅが実行されて対応する観光案内情報の読込みがなされると共に、ＧＰＳ受信アンテナ３がとらえてＧＰＳ受信部８が計測して求めた現在地情報を通信制御部９を介して中央処理部７が受取りｆｆし、続いて上記位置決定処理ｑ同様の位置決定処理ｇｇを実行した上で現在地表示処理ｈｈを実行し、図１９に示す如き現在地表示画面ＥＥを表示することができる。
　　　【００３６】
　この現在地表示画面ＥＥは自らの現在地Ｐをオペレータが真先に確認することを支援するためのもので、訪れた都市名さえ明確にしておけばその都市内での現在地を画面上で随時確認することができる点で好ましいものとなっている。現在地Ｐは位置決定処理ｇｇを実行して求めた結果を画面上黒丸印で表示してある。もちろん、「＊印」、白丸印等表示の仕方は任意である。また、画面下側には表示された都市内での観光案内情報を各項目別に選択し得るように、ファンクションメニューＥ１を表示してあり、配列をキーボード４のファンクションキー４ｄの配列と対応させ、各観光案内情報をファンクションキー４ｄの入力に対応して選択することができるようにしてある。
　　　【００３７】
　観光案内情報としては、名所案内等、任意の情報とすることができる。その一例としては、例えば、地区内の主な見どころや名物の紹介等を行う文字を主体とした「観光案内」、地区内の主な見どころや名物の場所を地図上に表示した「観光地案内」、地区内のレストランを地図上に表示した「レストラン案内」等があり、この他にも、「ホテル案内」、「ツアー案内」等を含めることができる。
　　　【００３８】
　例えば、「観光案内」に対応するファンクションキー４ｄとしてキーボード４上で一番左側のキーを選択した場合は入力内容の判断ｉｉが実行されて観光案内メニュー表示処理ｊｊが実行され、図２０に示す如き観光案内メニュー画面ＦＦが表示される。この観光案内メニュー画面ＦＦではさらに細かい内容の選択が可能で、例えば「ハリウッド紹介」を選択すると入力内容の判断ｋｋ及び観光情報表示処理ｌｌが実行されて図２１に示す如き観光地紹介画面ＧＧを表示することができる。また、観光案内メニュー画面ＦＦに「英会話事例」の項目を設け、あいさつや基本的な会話等に用いる英語を観光案内情報の一例として表示するための画面を、図２２に示す如き英会話事例メニュー画面ＨＨとして表示することもできる。
　　　【００３９】
　また、現在地表示画面ＥＥ上での「観光案内」以外の項目を選択する場合には案内図を含む画面や条件に応じた項目を選択するための画面を表示することができる。例えば、「レストラン案内」を選択した場合は入力内容の判断ｉｉが実行されて一覧案内メニュー表示処理ｍｍが実行され、案内メニュー画面ＩＩの一例として図２３に示す如きレストラン案内画面を表示することができる。案内メニュー画面ＩＩは「レストラン案内」、「ホテル案内」等の各案内項目ごとに該当する内容を一覧表示するもので、図２３に示したものにはレストランの名称と電話番号を表示してある。オペレータはこの画面を参照することで目的とするレストランやホテル等を特定するための情報をいち早く獲得することができ、しかも、必要に応じて後述する条件選択画面ＪＪや案内地図画面ＫＫを利用することにより地図やガイドブックを参照する煩わしさから開放され得ることになる。
　　　【００４０】
　案内メニュー画面ＩＩ上で条件選択、例えば「レストラン選択」の項目を選択した場合には条件選択表示処理ｎｎが実行され、条件選択画面ＪＪの一例として図２４に示す如き画面を表示することができる。この条件選択画面ＪＪは案内メニュー画面ＩＩ上に表示された内容の中から所定の条件に合ったもののみを選択するための画面で、予め条件選択画面ＪＪに設定された抽出条件となる項目にオペレータが意図する内容を入力することにより、案内メニュー画面ＩＩ上に表示される内容を入力された条件による抽出後の内容に変えることができる。そして、案内メニュー画面ＩＩ上で「レストラン紹介」の項目を選択することにより、目的地紹介処理ｏｏが実行されて目的とするレストランにかかる文字を主体とする紹介が画面（図示せず）上で行われる。
　　　【００４１】
　さらに、案内メニュー画面ＩＩ上で「地図案内」の項目を選択することで図２５に示す如き案内地図画面ＫＫを表示することができる。案内地図画面ＫＫは図２５に示すように、レストランやホテル等の場所を表す地図を画面表示したもので、オペレータの現在地Ｐの他に上記で選択されたレストラン等の目的となる場所を目的地Ｑとして表示すると共に、現在地Ｐから目的地Ｑまでの距離を表示する距離表示Ｒ、最適ルートを表示するルート表示Ｓもなされている。これによりオペレータは現在地Ｐと目的地Ｑまでの距離と最適ルートを同時に知ることができることとなり、オペレータは道に迷うことなく最も効率のいいルートで目的地にたどり着くことができる。
　　　【００４２】
　案内地図画面ＫＫは補助記憶部１０から読み込んだ観光案内情報の中から地図を主体とする情報を取り出し、これに加えて位置決定処理ｇｇにより現在地Ｐを求めると共に、上記の距離算出表示処理ｖ同様の距離算出表示処理ｐｐを実行して距離表示Ｒ及びルート表示Ｓをなす案内地図表示処理ｑｑを実行することにより、画面表示したものである。
　　　【００４３】
　案内地図画面ＫＫは画面を上下左右に四分割したブロックごとに表示がなされており、もちろん、スクロールキー４ｃを操作して表示内容を画面上でスクロールさせることもできる。また、上記四ブロックのいずれかを選択すると入力内容の判断ｒｒが実行された上で拡大地図表示処理ｓｓが実行され、対応するブロック内における拡大図を表示することができ、例えば、Ｃブロックを選択した場合は図２６に示す如き拡大画面ＬＬを表示することができる。この拡大画面ＬＬにより、地図が細かくて分かり難い部分を必要に応じて拡大し、より適切な案内ができるようになる。
　　　【００４４】
　上記の観光案内メニューＦＦ上には、上記の項目に加えて他の項目を表示させるようにすることもできる。例えば、病院等の緊急時に必要とされる連絡先を表示する「緊急時連絡」や「交通手段」、「通信手段」、「生活習慣」、「名物紹介」等の項目を追加すると共に、各項目に対応する詳細な情報の画面表示を行うようにすることもできる。また、円とドル等現地通貨との間での通貨換算を行うためのレートの表示等を行う「現地通貨換算」、旅行費用の金額、用途等の明細の入力や集計等を行うための「旅行費用精算」、所要時間、予算金額、移動方法等、図２７に示すような項目ごとに適宜オペレーターが入力した情報に基づいて地域内の移動シミュレーションを行い、その結果の最適コースをモデルコースとして図２８に示すように画面表示を行う「最適スケジュール」等とすることができ、この他にも空港の地図や文字を主体とする情報を表示する「空港案内」、レンタカー料金や会社名や所在地、レンタカーを借りたり、返却したりする際に必要とされる情報の表示等を行う「レンタカー案内」等を含めることができる。
　　　【００４５】
　さらにまた、観光案内情報は以上のものに限られるものではなく、たとえば、名所や名湯等の紹介や、文化百選、味百選、地酒百選、ラーメン百選等のいわゆる百選もの、グルメの旅、Ｂ級グルメの旅、季節の味等のグルメ関連のもの、プレイスポット、レジャースポット、ナイトスポット等のスポット情報に関するもの等についても本発明は含むものである。観光案内情報は以上の如く世界各国の案内等を行うものに限られるものではなく、日本の案内等を行うものとすることもできる。この場合、特に、以上の名所や名湯等の紹介や、いわゆる百選もの或いはグルメ関連、スポット情報に関するもの等は日本の観光案内情報とすれば好ましい。
　　　【００４６】
　なお、観光案内装置１、５１はいずれも既存の電子手帳にＧＰＳ受信アンテナ３、ＧＰＳ受信部８等を設けたものとして構成することができるし、液晶表示画面を具備するいわゆる液晶テレビにＧＰＳ受信アンテナ３、ＧＰＳ受信部８等を設けたものとして構成することもできる。
　　　【００４７】
　　【発明の効果】
　本発明の観光案内装置は、地図を主体とする名所案内やホテル案内等の観光案内情報が画面出力されるので、地図を携帯する手間が省け、不慣れな場所を行動する場合でも本装置を携帯し、その都度画面を参照しながら軽快に行動することができる。その上地図上にはオペレータの現在地及び目的地までの距離とルートが表示されるので画面上の地図と現在地との整合性を常時保つことができ、不慣れな都市でも迷うことがなくなる等により、不慣れな都市における行動を効果的に支援することができる。また、観光案内情報を内容別に適宜参考にして行動計画を立てたりする際にも好適である。
【図面の簡単な説明】
　　【図１】
　本発明に係る観光案内装置の一実施例を示す全体構成図である。
　　【図２】
　観光案内装置の外観を示す斜視図である。
　　【図３】
　キーボードのキー配置例を示す正面図である。
　　【図４】
　観光案内装置の処理内容を示す処理チャート図である。
　　【図５】
　図４の後続を示す処理チャート図である。
　　【図６】
　別の処理内容を示す処理チャート図である。
　　【図７】
　観光案内装置のメインメニューの一例を示す画面レイアウト図である。
　　【図８】
　観光案内装置のサブメニューの一例を示す画面レイアウト図である。
　　【図９】
　観光案内装置の案内情報画面の一例を示す画面表示内容図である。
　　【図１０】
　図９における一部拡大した画面表示内容図である。
　　【図１１】
　紹介画面の一例を示す画面表示内容図である。
　　【図１２】
　観光案内表示画面と案内画面の一例を示しており、表示内容を簡略した画面表示内容図である。
　　【図１３】
　別のキーボードのキー配置例を示す正面図である。
　　【図１４】
　別の観光案内装置の処理内容を示す処理チャート図である。
　　【図１５】
　図１４の後続を示す処理チャート図である。
　　【図１６】
　図１５の後続を示す処理チャート図である。
　　【図１７】
　別の観光案内装置の画面遷移内容図である。
　　【図１８】
　都市メニューの一例を示す画面レイアウト図である。
　　【図１９】
　現在地表示画面の一例を示す画面表示内容図である。
　　【図２０】
　観光案内メニュー画面の一例を示す画面レイアウト図である。
　　【図２１】
　観光地紹介画面の一例を示す画面表示内容図である。
　　【図２２】
　観光案内情報の一例を示す画面表示内容図である。
　　【図２３】
　案内メニュー画面の一例を示す画面表示内容図である。
　　【図２４】
　条件選択画面の一例を示す画面表示内容図である。
　　【図２５】
　案内地図画面の一例を示す画面表示内容図である。
　　【図２６】
　図２５の一部を拡大した拡大画面の一例を示す画面表示内容図である。
　　【図２７】
　最適スケジュール画面の一例を示す画面表示内容図である。
　　【図２８】
　図２７の後続を示す画面表示内容図である。
　　【符号の説明】
　　　　１，５１　観光案内装置
　　　　２　　　　本体
　　　　３　　　　ＧＰＳアンテナ
　　　　４　　　　キーボード
　　　　５　　　　ディスプレイ
　　　　６　　　　外部記憶媒体
　　　　７　　　　中央処理部
　　　　８　　　　ＧＰＳ受信部
　　　　９　　　　通信制御部
　　　　１０　　　補助記憶部
　　　　１１　　　入出力制御部
　　　　１２　　　主記憶部